(57)【要約】【課題】表示部と入力部を大きくして操作性を向上させ、携行性を良くした携帯電話機を提供する。【解決手段】本発明の携帯電話機１は、締結部５，６を有して腕（手首）に装着することができるブレスレット式の携帯電話機であり、第１の筺体１１の表示面には液晶タッチパネル２１が設けられ、第２の筺体１２の表示面には液晶タッチパネル２２が設けられ、第３の筺体１３の表示面には液晶タッチパネル２３が設けられ、携帯電話機１の各筺体を完全に開いた状態で、操作者の指の大きさに適応した大きさの文字キーを液晶タッチパネル２１，２２，２３に表示して文字情報入力の操作性を向上させる。【選択図】図１
2013017148.tif 000002
【特許請求の範囲】
【請求項１】
音声入力部と音声出力部とを有する携帯電話機であって、
表示部と、この表示部の表示面上に配置されて操作者による接触があるとその接触位置を出力するタッチパネルとを含む表示一体型タッチパネル装置が設けられている第１の筺体と、
この第１の筺体と折り曲げ自在に第１の連結部を介して連結され、表示部と、この表示部の表示面上に配置されて操作者による接触があるとその接触位置を出力するタッチパネルとを含む表示一体型タッチパネル装置が設けられている第２の筺体と、
この第２の筺体と折り曲げ自在に第２の連結部を介して連結され、表示部と、この表示部の表示面上に配置されて操作者による接触があるとその接触位置を出力するタッチパネルとを含む表示一体型タッチパネル装置が設けられている第３の筺体と、
この第３の筺体と折り曲げ自在に連結されている第３の連結部と、
前記第１の筺体の一端に連結された前記第１の連結部と反対の他端に連結された第１の締結部と、
前記第３の連結部の一端に連結された前記第３の筺体と反対の他端に連結された第２の締結部と、
を有し、
前記第１の締結部と前記第２の締結部とで締結および締結解除の操作ができ、前記第１の締結部と前記第２の締結部とが締結されることにより腕輪として携行されることを特徴とする携帯電話機。
【請求項２】
前記第１の筺体の表示面と反対の背面、前記第２の筺体の表示面と反対の背面、前記第３の筺体の表示面と反対の背面、前記第１の連結部、前記第２の連結部、前記第３の連結部とに装飾が施されていることを特徴とする請求項１に記載の携帯電話機。
【請求項３】
音声入力部と音声出力部とを有する携帯電話機であって、
表示部と、この表示部の表示面上に配置されて操作者による接触があるとその接触位置を出力するタッチパネルとを含む表示一体型タッチパネル装置が設けられている第１の筺体と、
この第１の筺体と折り曲げ自在に第１の連結部を介して連結され、表示部と、この表示部の表示面上に配置されて操作者による接触があるとその接触位置を出力するタッチパネルとを含む表示一体型タッチパネル装置が設けられている第２の筺体と、
この第２の筺体と折り曲げ自在に連結されている第２の連結部と、
前記第１の筺体の一端に連結された前記第１の連結部と反対の他端に連結された第１の締結部と、
前記第２の連結部の一端に連結された前記第２の筺体と反対の他端に連結された第２の締結部と、
を有し、
前記第１の締結部と前記第２の締結部とで締結および締結解除の操作ができ、前記第１の締結部と前記第２の締結部とが締結されることにより腕輪として携行されることを特徴とする携帯電話機。
【請求項４】
前記第１の筺体の表示面と反対の背面、前記第２の筺体の表示面と反対の背面、前記第１の連結部、前記第２の連結部とに装飾が施されていることを特徴とする請求項３に記載の携帯電話機。
【請求項５】
音声入力部と音声出力部とを有する携帯電話機であって、
表示部と、この表示部の表示面上に配置されて操作者による接触があるとその接触位置を出力するタッチパネルとを含む表示一体型タッチパネル装置が設けられている筺体と、
この筺体と折り曲げ自在に連結され、当該携帯電話機を構成する電子部品とバッテリとが搭載されている連結部と、
前記筺体の一端に連結された前記連結部と反対の他端に連結された第１の締結部と、
前記連結部の一端に連結された前記筺体と反対の他端に連結された第２の締結部と、
を有し、
前記第１の締結部と前記第２の締結部とで締結および締結解除の操作ができ、前記第１の締結部と前記第２の締結部とが締結されることにより腕輪として携行されることを特徴とする携帯電話機。
【請求項６】
前記筺体の表示面と反対の背面と前記連結部とに装飾が施されていることを特徴とする請求項５に記載の携帯電話機。
【請求項７】
前記連結部にキーボタンが設けられたことを特徴とする請求項５に記載の携帯電話機。
【請求項８】
音声入力部と音声出力部とを有する携帯電話機の表示入力方法であって、
上記携帯電話機が、
表示部と、この表示部の表示面上に配置されて操作者による接触があるとその接触位置を出力するタッチパネルとを含む表示一体型タッチパネル装置が設けられている第１の筺体と、
この第１の筺体と折り曲げ自在に第１の連結部を介して連結され、表示部と、この表示部の表示面上に配置されて操作者による接触があるとその接触位置を出力するタッチパネルとを含む表示一体型タッチパネル装置が設けられている第２の筺体と、
この第２の筺体と折り曲げ自在に第２の連結部を介して連結され、表示部と、この表示部の表示面上に配置されて操作者による接触があるとその接触位置を出力するタッチパネルとを含む表示一体型タッチパネル装置が設けられている第３の筺体と、
この第３の筺体と折り曲げ自在に連結されている第３の連結部と、
前記第１の筺体の一端に連結された前記第１の連結部と反対の他端に連結された第１の締結部と、
前記第３の連結部の一端に連結された前記第３の筺体と反対の他端に連結された第２の締結部と、
を有し、
前記第１の筺体の表示一体型タッチパネル装置と、前記第２の筺体の表示一体型タッチパネル装置と、前記第３の筺体の表示一体型タッチパネル装置とを用いて文字情報が表示入力されることを特徴とする携帯電話機の表示入力方法。
【請求項９】
前記第１の筺体の表示一体型タッチパネル装置と、前記第２の筺体の表示一体型タッチパネル装置と、前記第３の筺体の表示一体型タッチパネル装置とを用いてゲームの画像情報が表示され、当該ゲーム操作が前記タッチパネルから入力されることを特徴とする請求項８に記載の携帯電話機の表示入力方法。
【請求項１０】
音声入力部と音声出力部とを有する携帯電話機の表示入力方法であって、
上記携帯電話機が、
表示部と、この表示部の表示面上に配置されて操作者による接触があるとその接触位置を出力するタッチパネルとを含む表示一体型タッチパネル装置が設けられている第１の筺体と、
この第１の筺体と折り曲げ自在に第１の連結部を介して連結され、表示部と、この表示部の表示面上に配置されて操作者による接触があるとその接触位置を出力するタッチパネルとを含む表示一体型タッチパネル装置が設けられている第２の筺体と、
この第２の筺体と折り曲げ自在に連結されている第２の連結部と、
前記第１の筺体の一端に連結された前記第１の連結部と反対の他端に連結された第１の締結部と、
前記第２の連結部の一端に連結された前記第２の筺体と反対の他端に連結された第２の締結部と、
を有し、
前記第１の筺体の表示一体型タッチパネル装置と、前記第２の筺体の表示一体型タッチパネル装置とを用いて文字情報が表示入力されることを特徴とする携帯電話機の表示入力方法。
【請求項１１】
前記第１の筺体の表示一体型タッチパネル装置と、前記第２の筺体の表示一体型タッチパネル装置とを用いてゲームの画像情報が表示され、当該ゲーム操作が前記タッチパネルから入力されることを特徴とする請求項１０に記載の携帯電話機の表示入力方法。
【請求項１２】
音声入力部と音声出力部とを有する携帯電話機の携行方法であって、
上記携帯電話機が、
表示部と、この表示部の表示面上に配置されて操作者による接触があるとその接触位置を出力するタッチパネルとを含む表示一体型タッチパネル装置が設けられている第１の筺体と、
この第１の筺体と折り曲げ自在に第１の連結部を介して連結され、表示部と、この表示部の表示面上に配置されて操作者による接触があるとその接触位置を出力するタッチパネルとを含む表示一体型タッチパネル装置が設けられている第２の筺体と、
この第２の筺体と折り曲げ自在に第２の連結部を介して連結され、表示部と、この表示部の表示面上に配置されて操作者による接触があるとその接触位置を出力するタッチパネルとを含む表示一体型タッチパネル装置が設けられている第３の筺体と、
この第３の筺体と折り曲げ自在に連結されている第３の連結部と、
前記第１の筺体の一端に連結された前記第１の連結部と反対の他端に連結された第１の締結部と、
前記第３の連結部の一端に連結された前記第３の筺体と反対の他端に連結された第２の締結部と、
を有し、
前記第１の締結部と前記第２の締結部とで締結および締結解除の操作ができ、前記第１の締結部と前記第２の締結部とが締結されることにより腕輪として携行されることを特徴とする携帯電話機の携行方法。
【請求項１３】
音声入力部と音声出力部とを有する携帯電話機の携行方法であって、
上記携帯電話機が、
表示部と、この表示部の表示面上に配置されて操作者による接触があるとその接触位置を出力するタッチパネルとを含む表示一体型タッチパネル装置が設けられている第１の筺体と、
この第１の筺体と折り曲げ自在に第１の連結部を介して連結され、表示部と、この表示部の表示面上に配置されて操作者による接触があるとその接触位置を出力するタッチパネルとを含む表示一体型タッチパネル装置が設けられている第２の筺体と、
この第２の筺体と折り曲げ自在に連結されている第２の連結部と、
前記第１の筺体の一端に連結された前記第１の連結部と反対の他端に連結された第１の締結部と、
前記第２の連結部の一端に連結された前記第２の筺体と反対の他端に連結された第２の締結部と、
を有し、
前記第１の締結部と前記第２の締結部とで締結および締結解除の操作ができ、前記第１の締結部と前記第２の締結部とが締結されることにより腕輪として携行されることを特徴とする携帯電話機の携行方法。
【請求項１４】
音声入力部と音声出力部とを有する携帯電話機の携行方法であって、
上記携帯電話機が、
表示部と、この表示部の表示面上に配置されて操作者による接触があるとその接触位置を出力するタッチパネルとを含む表示一体型タッチパネル装置が設けられている筺体と、
この筺体と折り曲げ自在に連結され、当該携帯電話機を構成する電子部品とバッテリとが搭載されている連結部と、
前記筺体の一端に連結された前記連結部と反対の他端に連結された第１の締結部と、
前記連結部の一端に連結された前記筺体と反対の他端に連結された第２の締結部と、
を有し、
前記第１の締結部と前記第２の締結部とで締結および締結解除の操作ができ、前記第１の締結部と前記第２の締結部とが締結されることにより腕輪として携行されることを特徴とする携帯電話機の携行方法。
【発明の詳細な説明】
【技術分野】
【０００１】  この発明は、文字情報入力を容易にし、携行性を良くした携帯電話機に関する。
【背景技術】
【０００２】  従来、携帯電話機では１２個ほどのキーに、数字、かな文字、英字を設定し、入力モードを切り替えるモードキーを用いてモード変更し、数字入力モード、かな入力モード、英字入力モード等に切り替えて入力している。
このような携帯電話機では、キーが小さい上に何回もキーを押さなければならないので指の疲労が激しく、キーが小さいこともあって例えば高齢者が敬遠するものとなっている。【０００３】  携帯電話機では特にキー打鍵回数が多くなり入力操作性が悪いということでキー数を少なくして入力するキー入力方法が提案されている（例えば特許文献１）。
また、二つ折り式携帯電話機にして表示部とキー部（入力部）とを分けてキー部における個々のキーを大きくしたものもある（例えば特許文献２）。
また、携帯電話機を携行する際、カバンに入れ忘れたり、自宅に置き忘れたり、カバンに入ったままだと着信に気が付かないといったことがあった。その解決方法として、腕時計のように腕（手首）に装着する腕携帯電話が提案されている（例えば特許文献３）【０００４】  しかしながら、二つ折り式携帯電話機にしても、表示部はまだまだ小さく、キー部も小さく、キー部から文字を入力するのが煩わしく操作性が悪かった。また、腕携帯電話の場合、表示部の大きさに制限があり、決して文字入力がし易いものではなかった。
【先行技術文献】
【特許文献】
【０００５】
【特許文献１】  特許公開２００５−４５００号公報
【特許文献２】  特許公開２００４−４８７１９号公報
【特許文献３】  特許公開２００２−１１１８２１号公報
【発明の概要】
【発明が解決しようとする課題】
【０００６】  上記したように、携帯電話機においては、表示部と入力部が小さくて操作性が悪く、カバンに入れ忘れたり、自宅に置き忘れたり、カバンに入ったままだと着信に気が付かないといった携行性が悪いという課題があった。
この発明の目的は、表示部と入力部を大きくして操作性を向上させ、携行性を良くした携帯電話機を提供することである。
【課題を解決するための手段】
【０００７】  そこで、本発明は、音声入力部と音声出力部とを有する携帯電話機であって、表示部と、この表示部の表示面上に配置されて操作者による接触があるとその接触位置を出力するタッチパネルとを含む表示一体型タッチパネル装置が設けられている第１の筺体と、この第１の筺体と折り曲げ自在に第１の連結部を介して連結され、表示部と、この表示部の表示面上に配置されて操作者による接触があるとその接触位置を出力するタッチパネルとを含む表示一体型タッチパネル装置が設けられている第２の筺体と、この第２の筺体と折り曲げ自在に第２の連結部を介して連結され、表示部と、この表示部の表示面上に配置されて操作者による接触があるとその接触位置を出力するタッチパネルとを含む表示一体型タッチパネル装置が設けられている第３の筺体と、この第３の筺体と折り曲げ自在に連結されている第３の連結部と、前記第１の筺体の一端に連結された前記第１の連結部と反対の他端に連結された第１の締結部と、前記第３の連結部の一端に連結された前記第３の筺体と反対の他端に連結された第２の締結部とを有し、前記第１の締結部と前記第２の締結部とで締結および締結解除の操作ができ、前記第１の締結部と前記第２の締結部とが締結されることにより腕輪として携行されるようにしたものである。
【発明の効果】
【０００８】  本発明は、表示部と入力部を大きくして操作性を向上させ、携行性を良くした携帯電話機を提供することが可能となる。
【図面の簡単な説明】
【０００９】
【図１】本発明の第１の実施形態が適用可能な携帯電話機の一例を示す外観図。
【図２】図１に示す携帯電話機を丸めてＡ方向から見た状態を示す外観図。
【図３】携帯電話機の液晶タッチパネルにひらがなを表示した例を示す図。
【図４】本発明の第２の実施形態が適用可能な携帯電話機の一例を示す外観図。
【図５】本発明の第３の実施形態が適用可能な携帯電話機の一例を示す外観図。
【発明を実施するための形態】
【００１０】  まず、第１の実施形態について説明する。
図１は、この発明の第１の実施形態に係る携帯電話機１の外観構成を示すものである。すなわち、この携帯電話機１には、音声を入力するためのマイクが配置された音声入力部１０と、音声を出力するためのスピーカが配置された音声出力部２０が設けられている。なお、設定により音声出力部２０からの出力を大きくして音声出力部２０に耳を当てることなくハンズフリーで通話することができる。
【００１１】  本携帯電話機１は、第１の筺体１１、第２の筺体１２、第３の筺体１３とから構成されている。
第１の筺体１１の表示面（表示部）には、液晶表示装置及びその上に積層された静電容量式タッチパネルとからなる表示一体型タッチパネル装置である液晶タッチパネル２１が設けられている。
【００１２】  第２の筺体１２の表示面（表示部）には、液晶表示装置及びその上に積層された静電容量式タッチパネルとからなる表示一体型タッチパネル装置である液晶タッチパネル２２が設けられている。
第３の筺体１３の表示面（表示部）には、液晶表示装置及びその上に積層された静電容量式タッチパネルとからなる表示一体型タッチパネル装置である液晶タッチパネル２３が設けられている。
【００１３】  また、図１は、実際の携帯電話機とほぼ同じ寸法で作図されている。例えば、第１の筺体１１は、図上で縦の長さが４０ｍｍ、横の長さが７０ｍｍであり、液晶タッチパネル２１は、図上で縦の長さが３２ｍｍ、横の長さが５０ｍｍである。なお、第２の筺体１２と液晶タッチパネル２２、第３の筺体１３と液晶タッチパネル２３も同様の寸法である。
【００１４】  さらに、携帯電話機１は、第１の筺体１１と第２の筺体１２とが折り曲げ自在にヒンジ部２ａと中間部２ｂとヒンジ部２ｃとを介して連結され、第２の筺体１２と第３の筺体１３とが折り曲げ自在にヒンジ部３ａと中間部３ｂとヒンジ部３ｃとを介して連結され、第３の筺体１３が折り曲げ自在にヒンジ部４ａと中間部４ｂとヒンジ部４ｃと中間部４ｄとを介して連結されている。
【００１５】  また、ヒンジ部２ａと中間部２ｂとヒンジ部２ｃとは、総称して以下に連結部２として記述する。ヒンジ部３ａと中間部３ｂとヒンジ部３ｃとは、総称して以下に連結部３として記述する。ヒンジ部４ａと中間部４ｂとヒンジ部４ｃと中間部４ｄとは、総称して以下に連結部４として記述する。
なお、連結部２，３，４には、携帯電話機１を構成する電子部品（図示せず）と当該携帯電話機１のバッテリ（図示せず）とを搭載するようにしてもよい。
【００１６】  さらに、携帯電話機１は、第１の筺体１１の一端に連結された連結部２と反対の他端に連結された締結部５、中間部４ｄの一端に連結されたヒンジ部４ｃと反対の他端に連結された締結部６とが設けられている。締結部５と締結部６とは、携帯電話機１を折り曲げて丸めることにより、締結および締結解除の操作が可能で図１は締結解除の状態を示している。
【００１７】  図２は、携帯電話機１を折り曲げて丸めることにより、締結部５と締結部６とを締結した状態で、図１におけるＡ方向から見た状態を示すものである。
すなわち、図２に示すように本携帯電話機１は、締結部５と締結部６とを締結して腕（手首）に装着することが可能なものであり、腕輪（ブレスレッド）として携行することができる。すなわち、本携帯電話機１はブレスレット型の携帯電話機である。
この場合、第１の筺体１１、第２の筺体１２、第３の筺体１３の表示面を外側にして腕（手首）に装着した場合、携帯電話機１の表示機能を腕（手首）に装着したまま視認することができる。
【００１８】  また、第１の筺体１１、第２の筺体１２、第３の筺体１３の表示面と反対の背面を外側にして腕（手首）に装着した場合、携帯電話機１の背面に装飾（例えば、デコレーション携帯にする）を施しておシャレに携帯電話機１の携行を楽しむことができる。ここで、携帯電話機１の背面とは、第１の筺体１１、第２の筺体１２、第３の筺体１３の表示面と反対の背面に加えて連結部２，３，４を含んでもよい。
【００１９】  なお、このような目的から腕（手首）周りに合わせて締結部５と締結部６の長さは変えることができる。
また、連結部２，３，４は、上述した構成でなくてもよく、要は腕（手首）に装着し易くできればよい。
なお、図２も実際の携帯電話機とほぼ同じ寸法で作図され、携帯電話機１が腕（手首）周りが、例えば１９ｃｍぐらいに対応するように描かれている。
【００２０】  図３は、携帯電話機１の各筺体を完全に開いた状態で、入力用の全てのひらがなキーを液晶タッチパネル２１，２２，２３に表示させ、ひらがな表示とひらがなキー表示（文字情報の表示入力）とを大きくしてひらがな入力の操作性を向上させたものである。また、ひらがなは５０音の全ての文字キーを表示しているので入力操作を簡単に行うことができる。
なお、液晶タッチパネル２１，２２，２３は、ひらがなキーが互いに関連（電子接続）して表示され、携帯電話機の操作者がタッチパネルに触れる（接触）ことによりひらがな（文字情報）が入力される。
【００２１】  図３におけるひらがなキーは、１つが縦８ｍｍ、横１０ｍｍで表示されている。この結果、従来の携帯電話機では実現できなかった携帯電話機の操作者（大人から子供まで）の指の大きさに適応（対応）した大きさのキーを表示することができる。
なお、図３に示したひらがなキーの大きさは、固定したものではなく変更することも可能である。
【００２２】  また、文字情報として、数字キー、アルファベットキー、あるいはドイツ語、ハングル語等の外国語文字（文字情報）にも対応することができる。
また、液晶タッチパネル２１，２２，２３に表示される画像情報（動画と静止画とを含む）と、液晶タッチパネル２１，２２，２３からのタッチパネル入力（タッチパネルの接触位置情報を含む）とにより、ゲームを展開（ゲーム操作）することもできる。
【００２３】  以上説明したように上記第１の実施形態によれば、携帯電話機を三つの筺体にして液晶タッチパネルを３つ有し、大きい文字表示、大きいキー表示をすることにより、操作性を向上させることができる。
さらに、３つの液晶タッチパネルを用いることにより、携帯電話機の操作者（大人から子供まで）の指の大きさに適応（対応）した大きさのキーを表示することができる。
また、腕（手首）に装着して腕輪（ブレスレット）とすることにより、携行に極めて便利な携帯電話機を提供することができる。
【００２４】  また、ひらがなだけでなく、英語のアルファベット、ドイツ語、ハングル語等の外国語文字（文字情報）にも対応することができる。
なお、上記第１の実施形態では、表示部に液晶表示装置を用いたが有機ＥＬの表示装置でもよく、要は薄型で表示できればよい。また、静電容量式タッチパネルを設けたが透明で位置が特定できるパネルを積層して入力できるようにしてもよく、要は薄くて表示を妨げなければよい。
また、携帯電話機と同じようなＰＨＳ等の携帯端末に応用することも可能である。
【００２５】  次に、第２の実施形態について説明する。なお、第１の実施形態と同一箇所には同一符号を付して必要でなければ説明を省略している。
図４は、この発明の第２の実施形態に係る携帯電話機３０の外観構成を示すものである。すなわち、この携帯電話機３０には、音声を入力するためのマイクが配置された音声入力部１０と、音声を出力するためのスピーカが配置された音声出力部２０が設けられている。なお、設定により音声出力部２０からの出力を大きくして音声出力部２０に耳を当てることなくハンズフリーで通話することができる。
【００２６】  本携帯電話機３０は、第１の筺体３１、第２の筺体３２とから構成されている。
第１の筺体３１の表示面（表示部）には、液晶表示装置及びその上に積層された静電容量式タッチパネルとからなる表示一体型タッチパネル装置である液晶タッチパネル３３が設けられている。
【００２７】  第２の筺体３２の表示面（表示部）には、液晶表示装置及びその上に積層された静電容量式タッチパネルとからなる表示一体型タッチパネル装置である液晶タッチパネル３４が設けられている。
【００２８】  また、図４は、実際の携帯電話機とほぼ同じ寸法で作図されている。例えば、第１の筺体３１は、図上で縦の長さが４０ｍｍ、横の長さが９０ｍｍであり、液晶タッチパネル３４は、図上で縦の長さが３２ｍｍ、横の長さが７２ｍｍである。なお、第２の筺体３２と液晶タッチパネル３５も同様の寸法である。
【００２９】  さらに、携帯電話機３０は、第１の筺体３１と第２の筺体３２とが折り曲げ自在にヒンジ部３５ａと中間部３５ｂとヒンジ部３５ｃとを介して連結され、第２の筺体１２が折り曲げ自在にヒンジ部３６ａと中間部３６ｂとヒンジ部３６ｃと中間部３６ｄとヒンジ部３６ｅと中間部３６ｆとヒンジ部３６ｇと中間部３６ｈとを介して連結されている。
【００３０】  また、ヒンジ部３５ａと中間部３５ｂとヒンジ部３５ｃとは、総称して以下に連結部３５として記述する。ヒンジ部３６ａと中間部３６ｂとヒンジ部３６ｃと中間部３６ｄとヒンジ部３６ｅと中間部３６ｆとヒンジ部３６ｇと中間部３６ｈとは、総称して以下に連結部３６として記述する。
なお、連結部３５、連結部３６には、携帯電話機３０を構成する電子部品（図示せず）と当該携帯電話機３０のバッテリ（図示せず）とを搭載するようにしてもよい。
【００３１】  さらに、携帯電話機３０は、第１の筺体３１の一端に連結された連結部３５と反対の他端に連結された締結部５、中間部３６ｈの一端に連結されたヒンジ部３６ｇと反対の他端に連結された締結部６とが設けられている。締結部５と締結部６とは、携帯電話機３０を折り曲げて丸めることにより、締結および締結解除の操作が可能で図４は締結解除の状態を示している。
【００３２】  本携帯電話機３０は、締結部５と締結部６とを締結して腕（手首）に装着することが可能なものであり、腕輪（ブレスレッド）として携行することができる。すなわち、本携帯電話機３０はブレスレット型の携帯電話機である。
この場合、第１の筺体３１、第２の筺体３２の表示面を外側にして腕（手首）に装着した場合、携帯電話機３０の表示機能を腕（手首）に装着したまま視認することができる。
【００３３】  また、第１の筺体３１、第２の筺体３２の表示面と反対の背面を外側にして腕（手首）に装着した場合、携帯電話機３０の背面に装飾（例えば、デコレーション携帯にする）を施しておシャレに携帯電話機３０の携行を楽しむことができる。ここで、携帯電話機３０の背面とは、第１の筺体３１、第２の筺体３２の表示面と反対の背面に加えて連結部３５，３６を含んでもよい。
【００３４】  なお、このような目的から腕（手首）周りに合わせて締結部５と締結部６の長さは変えることができる。
また、連結部３５，３６は、上述した構成でなくてもよく、要は腕（手首）に装着し易くできればよい。
【００３５】  図４は、携帯電話機３０の各筺体を完全に開いた状態で、入力用の全てのひらがなキーを液晶タッチパネル３１，３２に表示させ、ひらがな表示とひらがなキー表示（文字情報の表示入力）とを大きくしてひらがな入力の操作性を向上させたものである。また、ひらがなは５０音の全ての文字キーを表示しているので入力操作を簡単に行うことができる。
なお、液晶タッチパネル３１，３２は、ひらがなキーが互いに関連（電子接続）して表示され、携帯電話機の操作者がタッチパネルに触れる（接触）ことによりひらがな（文字情報）が入力される。
【００３６】  図４におけるひらがなキーは、１つが縦８ｍｍ、横７ｍｍで表示される。この結果、従来の携帯電話機では実現できなかった携帯電話機の操作者（大人から子供まで）の指の大きさに適応（対応）した大きさのキーを表示することができる。
なお、図３に示したひらがなキーの大きさは、固定したものではなく変更することも可能である。
【００３７】  また、文字情報として、数字キー、アルファベットキー、あるいはドイツ語、ハングル語等の外国語文字（文字情報）にも対応することができる。
また、液晶タッチパネル３１，３２に表示される画像情報（動画と静止画とを含む）と、液晶タッチパネル３１，３２からのタッチパネル入力（タッチパネルの接触位置情報を含む）とにより、ゲームを展開（ゲーム操作）することもできる。
【００３８】  以上説明したように上記第２の実施形態によれば、携帯電話機を二つの筺体にして液晶タッチパネルを２つ有し、大きい文字表示、大きいキー表示をすることにより、操作性を向上させることができる。
さらに、２つの液晶タッチパネルを用いることにより、携帯電話機の操作者（大人から子供まで）の指の大きさに適応（対応）した大きさのキーを表示することができる。
また、腕（手首）に装着して腕輪（ブレスレット）とすることにより、携行に極めて便利な携帯電話機を提供することができる。
【００３９】  また、ひらがなだけでなく、英語のアルファベット、ドイツ語、ハングル語等の外国語文字（文字情報）にも対応することができる。
なお、上記第２の実施形態では、表示部に液晶表示装置を用いたが有機ＥＬの表示装置でもよく、要は薄型で表示できればよい。また、静電容量式タッチパネルを設けたが透明で位置が特定できるパネルを積層して入力できるようにしてもよく、要は薄くて表示を妨げなければよい。
また、携帯電話機と同じようなＰＨＳ等の携帯端末に応用することも可能である。
【００４０】  次に、第３の実施形態について説明する。なお、第２の実施形態と同一箇所には同一符号を付して必要でなければ説明を省略している。
図５は、この発明の第３の実施形態に係る携帯電話機４０の外観構成を示すものである。すなわち、この携帯電話機４０には、音声を入力するためのマイクが配置された音声入力部１０と、音声を出力するためのスピーカが配置された音声出力部２０が設けられている。なお、設定により音声出力部２０からの出力を大きくして音声出力部２０に耳を当てることなくハンズフリーで通話することができる。
【００４１】  本携帯電話機４０は、筺体４１を有している。
筺体４１の表示面（表示部）には、液晶表示装置及びその上に積層された静電容量式タッチパネルとからなる表示一体型タッチパネル装置である液晶タッチパネル４３が設けられている。
【００４２】  さらに、携帯電話機４０は、筺体４１が折り曲げ自在にヒンジ部４２ａと中間部４２ｂとヒンジ部４２ｃと中間部４２ｄとヒンジ部４２ｅと中間部４２ｆとヒンジ部４２ｇと中間部４２ｈとヒンジ部４２ｉと中間部４２ｊとヒンジ部４２ｋと中間部４２ｍとを介して連結されている。
【００４３】  また、ヒンジ部４２ａと中間部４２ｂとヒンジ部４２ｃと中間部４２ｄとヒンジ部４２ｅと中間部４２ｆとヒンジ部４２ｇと中間部４２ｈとヒンジ部４２ｉと中間部４２ｊとヒンジ部４２ｋと中間部４２ｍとは、総称して以下に連結部４２として記述する。
なお、連結部４２には、携帯電話機４０を構成する電子部品（図示せず）と当該携帯電話機４０のバッテリ（図示せず）とが搭載されている。
【００４４】  さらに、携帯電話機４０は、筺体４１１の一端に連結された連結部４２と反対の他端に連結された締結部５、中間部４２ｍの一端に連結されたヒンジ部４２ｋと反対の他端に連結された締結部６とが設けられている。締結部５と締結部６とは、携帯電話機４０を折り曲げて丸めることにより、締結および締結解除の操作が可能で図５は締結解除の状態を示している。
【００４５】  本携帯電話機４０は、締結部５と締結部６とを締結して腕（手首）に装着することが可能なものであり、腕輪（ブレスレッド）として携行することができる。すなわち、本携帯電話機４０はブレスレット型の携帯電話機である。
この場合、筺体４１の表示面を外側にして腕（手首）に装着した場合、携帯電話機４０の表示機能を腕（手首）に装着したまま視認することができる。
【００４６】  また、筺体４１の表示面と反対の背面を外側にして腕（手首）に装着した場合、携帯電話機４０の背面に装飾（例えば、デコレーション携帯にする）を施しておシャレに携帯電話機４０の携行を楽しむことができる。ここで、携帯電話機４０の背面とは、筺体４１の表示面と反対の背面に加えて連結部４２を含んでもよい。
なお、このような目的から腕（手首）周りに合わせて締結部５と締結部６の長さは変えることができる。
また、連結部４２は、上述した構成でなくてもよく、要は腕（手首）に装着し易くできればよい。
【００４７】  液晶タッチパネル４３には、文字情報を表示することができ、例えば、数字キー、アルファベットキー、ひらがなキー等であり、あるいはドイツ語、ハングル語等の外国語文字（文字情報）にも対応することができる。
なお、中間部４２ｄ，４２ｈ，４２ｍの何れか１つ、あるいは２つ、あるいは全てを用いて従来の入力キー（テンキー等のキーボタン）を設けるようにしてもよい。
【００４８】  以上説明したように上記第３の実施形態によれば、腕（手首）に装着して腕輪とすることにより、携行に極めて便利な携帯電話機を提供することができる。
なお、上記第３の実施形態では、表示部に液晶表示装置を用いたが有機ＥＬの表示装置でもよく、要は薄型で表示できればよい。また、静電容量式タッチパネルを設けたが透明で位置が特定できるパネルを積層して入力できるようにしてもよく、要は薄くて表示を妨げなければよい。
また、携帯電話機と同じようなＰＨＳ等の携帯端末に応用することも可能である。
【００４９】  なお、本願発明は、上記実施形態に限定されるものではなく、実施段階ではその要旨を逸脱しない範囲で種々に変形することが可能である。また、実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００５０】  １，３０，４０…携帯電話機、２，３，４，３５，３６，４２…連結部、１０…音声入力部、１１，３１…第１の筺体、１２，３２…第２の筺体、１３…第３の筺体、２０…音声出力部、２１，２２，２３，３３，３４，４３…液晶タッチパネル（表示一体型タッチパネル装置）、４１…筺体。
【図１】
2013017148.tif 000003
【図２】
2013017148.tif 000004
【図３】
2013017148.tif 000005
【図４】
2013017148.tif 000006
【図５】
2013017148.tif 000007